(57)【要約】【課題】気象情報を地図に重畳して表示するときの気象情報の視認性が高い地図表示装置を提供する。【解決手段】地図２０は地図領域２０ａ〜２０ｐに分割されている。地図領域２０ａ〜２０ｐのうちの衛星ラジオ放送から気象情報を受信した地図領域２０ａ〜２０ｃ，２０ｅ〜２０ｇ，２０ｉ〜２０ｋ，２０ｏ，２０ｐについて、地図に灰色をブレンドして表示する。一方、表示画面には地図２０が表示される。地図領域２０ａ〜２０ｐのうちの衛星ラジオ放送から気象情報を受信しない地図領域２０ｄ，２０ｈ，２０ｌ，２０ｍ，２０ｎについて、地図領域の背景色をそのまま表示する。そして、地図２０に重ねて気象情報がアイコン２１ａ〜２１ｅや線図２２ａ，２２ｂなどで表示される。【選択図】図２
2008180859.tif 000002
【特許請求の範囲】
【請求項１】
表示モニタに地図を表示する地図表示制御手段と、
気象情報を受信する気象情報受信手段とを備え、
前記地図表示制御手段は、前記地図に灰色をブレンドし、前記気象情報受信手段によって取得した前記気象情報を、前記灰色がブレンドされた地図と重ねて表示することを特徴とする地図表示装置。
【請求項２】
請求項１に記載の地図表示装置において、
前記地図表示制御手段は、前記地図の中で前記気象情報受信手段によって気象情報を取得した領域の地図に灰色をブレンドして表示することを特徴とする地図表示装置。
【請求項３】
請求項１または２に記載の地図表示装置において、
前記地図表示制御手段によって地図にブレンドする灰色のブレンドの度合いを、ユーザの操作によって変更する灰色ブレンド変更手段を備えることを特徴とする地図表示装置。
【請求項４】
請求項１乃至３のいずれか１項に記載の地図表示装置において、
前記地図表示制御手段は、昼夜で前記地図の背景色を変更することを特徴とする地図表示装置。
【請求項５】
請求項１乃至４のいずれか１項に記載の地図表示装置において、
前記地図表示制御手段は、前記地図を少なくとも有彩色で描画し、前記有彩色で描画した地図に灰色をブレンドして前記地図の彩度を低減し、前記彩度を低減した地図上に有彩色の気象情報を重ねて表示することを特徴とする地図表示装置。
【請求項６】
表示モニタに地図を表示する地図表示制御手段と、
気象情報を受信する気象情報受信手段とを備え、
前記地図表示制御手段は、前記地図の彩度を低減し、前記彩度を低減した地図上の有彩色の気象情報を重ねて表示することを特徴とする地図表示装置。
【発明の詳細な説明】
【技術分野】
【０００１】
本発明は、気象情報を地図に重ねて表示する地図表示装置に関する。
【背景技術】
【０００２】
地図画面が所定レベル以上の広域表示になると、地図画面に気象情報を重畳表示するナビゲーション装置が従来技術として知られている（たとえば、特許文献１）。
【特許文献１】特開２０００−２５５０号公報
【発明の開示】
【発明が解決しようとする課題】
【０００３】
特許文献１に記載されているような従来のナビゲーション装置では、地図画面に重畳表示されている気象情報が地図画面の背景によって見づらくなる場合があるという問題点がある。
【課題を解決するための手段】
【０００４】
（１）請求項１の発明の地図表示装置は、表示モニタに地図を表示する地図表示制御手段と、気象情報を受信する気象情報受信手段とを備え、地図表示制御手段は、地図に灰色をブレンドし、気象情報受信手段によって取得した気象情報を、灰色がブレンドされた地図と重ねて表示することを特徴とする。
（２）請求項２の発明は、請求項１に記載の地図表示装置において、地図表示制御手段は、地図の中で気象情報受信手段によって気象情報を取得した領域の地図に灰色をブレンドして表示することを特徴とする。
（３）請求項３の発明は、請求項１または２に記載の地図表示装置において、地図表示制御手段によって地図にブレンドする灰色のブレンドの度合いを、ユーザの操作によって変更する灰色ブレンド変更手段を備えることを特徴とする。
（４）請求項４の発明は、請求項１乃至３のいずれか１項に記載の地図表示装置において、地図表示制御手段は、昼夜で地図の背景色を変更することを特徴とする。
（５）請求項５の発明は、請求項１乃至４のいずれか１項に記載の地図表示装置において、地図表示制御手段は、地図を少なくとも有彩色で描画し、有彩色で描画した地図に灰色をブレンドして地図の彩度を低減し、彩度を低減した地図上に有彩色の気象情報を重ねて表示することを特徴とする。
（６）請求項６の発明の地図表示装置は、表示モニタに地図を表示する地図表示制御手段と、気象情報を受信する気象情報受信手段とを備え、地図表示制御手段は、地図の彩度を低減し、彩度を低減した地図上の有彩色の気象情報を重ねて表示することを特徴とする。
【発明の効果】
【０００５】
本発明によれば、気象情報を地図に重畳して表示するとき、地図に灰色をブレンドするなどして地図の彩度を低減して表示する。したがって、地図が目立たなくなり、気象情報の視認性が高くなる。
【発明を実施するための最良の形態】
【０００６】
図１は、本発明の実施形態によるナビゲーション装置１を示す。このナビゲーション装置１は、衛星ラジオ放送による気象情報を受信することができ、その気象情報を地図に重ねて表示モニタ１６に表示することができる。衛星ラジオ放送として、たとえば、シリウスサテライトラジオなどがある。ナビゲーション装置１は、制御回路１１、ＲＯＭ１２、ＲＡＭ１３、現在地検出装置１４、画像メモリ１５、表示モニタ１６、スピーカ１７、入力装置１８、タッチパネル１９、タッチパネルコントロール部１１０、衛星ラジオ受信部１１１、受信メモリ１１２およびディスクドライブ１１３を有している。ディスクドライブ１１３には、地図データが記憶されたＤＶＤ−ＲＯＭ１１４が装填されている。
【０００７】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１がＤＶＤ−ＲＯＭ１１４に記憶された地図データに基づいて所定の経路探索処理を行うと、その処理結果が推奨経路として表示モニタ１６に表示される。また、制御回路１１は、地図などを表示するための画像データを生成する。後述するように、気象情報を地図に重畳表示する場合、地図に灰色を重ねて描画することによって、すなわち、地図に灰色をブレンド（配合）することによって、地図を目立たないように表示することができる。
【０００８】
現在地検出装置１４は車両の現在地を検出する装置である。現在地検出装置１４は、振動ジャイロ１４ａ、車速センサ１４ｂ、ＧＰＳ（Global Positioning System）センサ１４ｃなどからなる。振動ジャイロ１４ａは、車両の進行方向を検出し、車速センサ１４ｂは、車速を検出し、ＧＰＳセンサ１４ｃはＧＰＳ衛星からのＧＰＳ信号を検出する。ナビゲーション装置１は、この現在地検出装置１４により検出された車両の現在地に基づいて、地図の表示範囲や経路探索開始点などを決定するとともに、地図上に自車位置マークとしてその現在地を表示する。
【０００９】
画像メモリ１５は、表示モニタ１６に表示するための画像データを格納する。この画像データは道路地図描画用データや各種の図形データからなり、それらはＤＶＤ−ＲＯＭ１１４に記憶された地図データに基づいて、適宜生成される。ナビゲーション装置１は、このようにして生成された画像データを用いることによって地図表示などを行うことができる。
【００１０】
ディスクドライブ１１３は、ＤＶＤ−ＲＯＭ１１４から地図データを読み出す。地図データは、地図表示用データ、経路探索用データなどを含む。地図表示用データおよび経路探索用データには、地図データに格納されている道路のリンク情報およびノード情報が含まれている。地図表示用データは、広域から詳細まで複数の縮尺の地図データを有し、ユーザの要求などにしたがって、表示地図の縮尺を変更することができる。なお、ＤＶＤ−ＲＯＭ１１４以外の他の記録メディア、たとえばＣＤ−ＲＯＭやハードディスクなどより地図データを読み出してもよい。
【００１１】
表示モニタ１６は、地図データなどの各種情報に基づいて、自車位置付近の地図などの各種情報を画面表示としてユーザに提供する。また、表示モニタ１６には地図に重畳して気象情報を表示する。スピーカ１７は、各種入力操作をユーザに指示したり、経路誘導したりするための音声を出力する。入力装置１８は、ユーザが各種コマンドの設定などするための操作キーを有し、操作パネル上のボタンスイッチやパネル周囲のハードスイッチなどによって実現される。ユーザは、表示モニタ１６の表示画面の指示やスピーカ１７からの音声指示にしたがって入力装置１８を手動で操作することにより、目的地を設定する。また、入力装置１８を操作することによって、衛星ラジオ放送を選局することができる。
【００１２】
目的地がユーザにより設定されると、ナビゲーション装置１は現在地検出装置１４により検出された現在地を出発地として目的地までの経路演算を所定のアルゴリズムに基づいて行う。このようにして求められた経路（以下、推奨経路という）は、表示形態、たとえば表示色などを変えることによって、ほかの道路とは区別して画面表示される。これにより、ユーザは地図上の推奨経路を画面上で認識することができる。また、ナビゲーション装置１は、推奨経路にしたがって車両が走行できるように、ユーザに対して画面や音声などによる進行方向指示を行い、車両を経路誘導する。
【００１３】
タッチパネル１９は、表示モニタ１５の表面に積層される透明のタッチスイッチであり、表示モニタ１６に表示される画像はタッチパネル１９を通して表示される。したがって、表示モニタ１６の表示画面を押圧するとタッチパネル１９が押圧される。タッチパネル１９は、タッチパネル１９上の操作位置に応じた信号をタッチパネルコントロール部１１０に送出し、タッチパネルコントロール部１１０はタッチパネル１９の押圧位置を算出する。
【００１４】
表示モニタ１６に表示された各種ボタンや表示メニューなどを指などで押圧するとタッチパネル１９は押圧され、各種ボタンや表示メニューに定義された処理が実行される。
【００１５】
衛星ラジオ受信部１１１は、図示しない衛星ラジオ局から人工衛星を介して放送される衛星ラジオ放送を受信し、制御回路１１に出力する。受信した衛星ラジオ放送は、スピーカ１７より出力される。また、衛星ラジオ放送に含まれる気象情報は、制御回路１１から受信メモリ１１１に出力される。
【００１６】
衛星ラジオ放送の気象情報は、天気図の情報や、ハリケーンなどの嵐の情報、気象レーダによる雨量分布の情報、各観測地点における風向きや風力の情報などを有する。天気図の情報として、たとえば、高気圧や低気圧の位置（緯度・経度）の情報や温暖前線や寒冷前線の位置情報などが含まれる。嵐の情報には、ハリケーンの位置や竜巻の位置の情報などが含まれる。雨量分布の情報には、雨が降っている位置とその位置における雨量の情報などが含まれる。
【００１７】
受信メモリ１１１は、フラッシュメモリやハードディスクなどの書き換え可能な不揮発性記録媒体によって構成され、衛星ラジオ受信部１１１によって受信した気象情報を記憶する。
【００１８】
次に、本発明の実施形態における気象情報の表示処理について、図２〜図５を参照して説明する。図２（ａ）は、不図示のメニューから気象情報表示を選択すると表示される表示モニタ１６の表示画面を説明するための図である。図２（ａ）に示すように、地図２０は１６個の地図領域に分割線で分割されている。地図領域を識別できるようにするため、図２（ｂ）に示すように、それぞれの地図領域に符号２０ａ〜２０ｐを付す。ここで、地図本来の背景色は有彩色であるとして説明する。
【００１９】
図２（ａ）に示すように、地図領域２０ａ〜２０ｐのうちの衛星ラジオ放送から気象情報を受信した地図領域２０ａ〜２０ｃ，２０ｅ〜２０ｇ，２０ｉ〜２０ｋ，２０ｏ，２０ｐについて、地図に灰色をブレンドし、地図の彩度を低減して表示する。一方、地図領域２０ａ〜２０ｐのうちの衛星ラジオ放送から気象情報を受信しない地図領域２０ｄ，２０ｈ，２０ｌ，２０ｍ，２０ｎについて、有彩色の地図をそのまま表示する。
【００２０】
図２（ａ）に示すように、地図２０に重ねて気象情報が有彩色のアイコンや線図などとして表示される。青色のアイコン２１ａは高気圧を示し、赤色のアイコン２１ｂは低気圧を示す。青色のアイコン２１ｃは雹、霰の天気を示し、黄色のアイコン２１ｄは竜巻を示す。黄色のアイコン２１ｅはハリケーンを示す。また、赤色の線図２２ａは温暖前線を示し、青色の線図２２ｂは寒冷前線を示す。青色、水色、黄色および赤色で表示された領域２３は気象レーダで計測した雨量分布を示す。
【００２１】
図２（ａ）に示すように、地図２０には、各種ボタンが重畳的に表示される。天気図ボタン２４ａは、高気圧および低気圧を示すアイコン２１ａ，２１ｂなどで表される天気図を表示するためのボタンである。嵐ボタン２４ｂは、ハリケーンや竜巻、雹、霰など嵐を表すアイコン２１ｃ〜２１ｅを表示するためのボタンである。レーダボタン２４ｃは、気象レーダで計測した雨量分布を表示するためのボタンである。風ボタン２４ｄは、風向きや風力の情報を表示するためのボタンである。
【００２２】
表示モニタ１６の右下隅には、図２（ａ）に示すように、地図にブレンドする灰色のブレンド度合いを変更するブレンドレベル変更ボタン２５ａ，２５ｂも表示される。ブレンドレベル変更ボタン２５ａを押圧すると、図３に示すように灰色のブレンドの度合いが大きくなり、地図の色彩が灰色に近づき、地図の彩度が大きく低減する。一方、ブレンドレベル変更ボタン２５ｂを押圧すると、灰色のブレンドの度合いが小さくなり、地図の色彩が地図本来の有彩色の背景色に近づき、地図の彩度は大きくなる。
【００２３】
地図２０が表示されてから５秒間に表示画面が押圧されないと、図４に示すように、地図２０に重ねて表示されていたボタン２４ａ〜２４ｄ，２５ａ，２５ｂは消去される。さらに、３秒間表示画面が押圧されないと、図５に示すように地図２０に表示されていた分割線も消去される。
【００２４】
次に、本発明の実施形態における気象情報表示処理について図６のフローチャートを参照して説明する。図６の処理は、不図示のメニューから気象情報表示が選択されるとスタートするプログラムにより、制御回路１１において実行される。
【００２５】
ステップＳ６０１では、衛星ラジオ受信部１１１によって衛星ラジオ放送を受信して気象情報を取得する。取得した気象情報は受信メモリ１１２に記憶する。
【００２６】
ステップＳ６０２では、図７に示すように、ＲＡＭ１３を作業エリアとして所定の背景色で所定地域の地図の地図レイヤ７１を所定の縮尺にて描画する。ステップＳ６０３では、描画した地図レイヤ７１に重ねて、気象情報を受信した地図領域を任意の透過度（たとえば５０％）の灰色で表す灰色レイヤ７２を描画する。ステップＳ６０４では、高気圧２１ａや温暖前線２２ａなどの気象情報を表す気象情報レイヤ７３を、地図レイヤ７１、灰色レイヤ７２に重ねて描画する。ステップＳ６０５では、さらに重ねて、天気図ボタン２４ａなどのボタンを表すボタンレイヤ７４を描画する。
【００２７】
ステップＳ６０６では、描画して作成した画像データを画像メモリ１５に格納する。ステップＳ６０７では、画像メモリ１５に格納した画像データを読み出して、表示モニタ１６に表示する。
【００２８】
次に、気象情報を受信した地図領域における背景色の灰色のブレンドの度合いを変更する灰色ブレンド変更処理について図８のフローチャートを参照して説明する。図８の処理は、表示モニタ１６にブレンドレベル変更ボタン２５ａ，２５ｂが表示されるとスタートするプログラムにより、制御回路１１において実行される。ここで、図６の気象情報表示処理と共通するステップは共通する符号を付し、図６の気象情報表示処理と異なる部分を主に説明する。
【００２９】
ステップＳ８０１では、タッチパネルコントロール部１１０が算出したタッチパネル１９の押圧位置より、ブレンドレベル変更ボタン２５ａ，２５ｂが押圧されたか否かを判定する。ブレンドレベル変更ボタン２５ａ，２５ｂが押圧された場合はステップＳ８０１が肯定判定され、ステップＳ８０２へ進む。ブレンドレベル変更ボタン２５ａ，２５ｂが押圧されない場合はステップＳ８０１を繰り返す。
【００３０】
ステップＳ８０２では、押圧されたブレンドレベル変更ボタン２５ａ，２５ｂは、プラスの表示されているブレンドレベル変更ボタン２５ａ（以下、プラスボタンと呼ぶ）であるか否かを判定する。プラスボタン２５ａが押圧された場合はステップＳ８０２が肯定判定され、ステップＳ８０３へ進む。マイナスの表示されているブレンドレベル変更ボタン２５ｂが押圧された場合はステップＳ８０２が否定判定され、ステップＳ８０４へ進む。
【００３１】
ステップＳ８０３では、地図レイヤ７１に重ねて描画する灰色レイヤ７２の灰色の濃淡の度合いを高くし、ステップＳ６０２へ進む。ステップＳ８０４では、地図７１に重ねて描画する灰色レイヤ７２の灰色の濃淡の度合いを低くし、ステップＳ６０２へ進む。
【００３２】
以上の本発明の実施の形態によるナビゲーション装置１は次のような作用効果を奏する。
（１）気象情報２１ａ〜２１ｅ，２２ａ，２２ｂ，２３を地図２０に重ねて表示するとき、地図に灰色をブレンドして地図２０を表示する。したがって、主に種々の有彩色を用いて描画される地図２０が目立たなくなり、気象情報２１ａ〜２１ｅ，２２ａ，２２ｂ，２３の視認性が高くなる。
【００３３】
（２）気象情報を受信した地図領域２０ａ〜２０ｃ，２０ｅ〜２０ｇ，２０ｉ〜２０ｋ，２０ｏ，２０ｐのみについて、地図に灰色をブレンドして表示する。したがって、気象情報を受信した地図領域２０ａ〜２０ｃ，２０ｅ〜２０ｇ，２０ｉ〜２０ｋ，２０ｏ，２０ｐを容易に把握することができる。これにより、気象情報が表示されていない地図領域では、表示する気象情報がないために気象情報が表示されないのか、気象情報を取得できなかったために気象情報が表示されないのかを判断することができる。
【００３４】
（３）ブレンドレベル変更ボタン２５ａ，２５ｂを押圧するなど、ユーザの操作によって地図に対する灰色のブレンドの度合いを変更することができる。したがって、ユーザの好みに応じて、気象情報２１ａ〜２１ｅ，２２ａ，２２ｂ，２３が見やすく、かつ、地図の情報も認識することができる灰色のブレンド度合いに調整でき、利便性が向上する。
【００３５】
以上の実施の形態を次のように変形することができる。
（１）有彩色の気象情報を地図に重ねて表示するとき、有彩色の地図に灰色をブレンドして地図を表示した。しかし、主に有彩色で描画される地図の彩度を低減するものであれば、地図に灰色をブレンドすることに限定されない。地図の彩度を低減すれば地図は目立たなくなり、有彩色で表された気象情報の視認性が高くなるからである。
【００３６】
（２）地図に重ねて描画する灰色の濃淡の度合いを変化させることによって、地図の背景色に対する灰色のブレンドの度合いを変更するようにした。しかし、地図の背景色に対する灰色のブレンドの度合いを変更できるものであれば、実施形態に限定されない。たとえば、灰色の透過度を変更することによって地図の背景色に対する灰色のブレンドの度合いを変更するようにしてもよい。この場合、ブレンドレベル変更ボタン２５ａを押圧すると灰色の透過度が小さくなり、ブレンドレベル変更ボタン２５ｂを押圧すると灰色の透過度が大きくなる。
【００３７】
（３）気象情報のアイコン２１ａ〜２１ｅが押圧されると、そのアイコン２１ａ〜２１ｅに係る気象情報の詳細情報がポップアップ画面で表示されるようにしてもよい。たとえば、アイコン２１ｅを押圧すると、ハリケーンの中心気圧や進行方向、進行速度、平均風速などの情報がポップアップ画面で表示されるようにしてもよい。
【００３８】
（４）夜間においても地図を見やすくするため、夜間になると地図の背景色を変更する場合も、夜間における地図に灰色をブレンドするようにしてもよい。夜間においても地図に重ねて表示された気象情報が見やすくなり、便利である。
【００３９】
（５）本発明は、地図表示装置であれば、ナビゲーション装置１に限定されない。
【００４０】
以上の説明はあくまで一例であり、発明は、上記の実施形態に何ら限定されるものではない。
【００４１】
特許請求の範囲の要素と実施の形態との対応関係を説明する。
本発明の地図表示制御手段は制御回路１１に対応し、気象情報受信手段は衛星ラジオ受信部１１１に対応する。灰色ブレンド変更手段は制御回路１１、タッチパネル１９およびタッチパネルコントロール部１１０に対応する。なお、以上の説明はあくまで一例であり、発明を解釈する上で、上記の実施形態の構成要素と本発明の構成要素の対応関係になんら限定されるものではない。
【図面の簡単な説明】
【００４２】
【図１】本発明の一実施形態によるナビゲーション装置の構成を示すブロック図である。
【図２】不図示のメニューから気象情報表示を選択すると表示される表示モニタの表示画面を説明するための図である。
【図３】地図に対する灰色のブレンドの度合いを大きくした場合の地図の表示画面を説明するための図である。
【図４】表示画面が押圧されずに、気象情報を重ねて表示した地図が表示モニタに表示されてから５秒間経過したときに表示される表示画面を説明するための図である。
【図５】図４の表示画面が表示されてから、さらに３秒間経過したときに表示される表示画面を説明するための図である。
【図６】本発明の実施形態における気象情報表示処理を説明するためのフローチャートである。
【図７】地図に気象情報を重ねて表示した画像の描画処理を説明するための図である。
【図８】地図に対する灰色のブレンドを変更する灰色ブレンド変更処理を説明するためのフローチャートである。
【符号の説明】
【００４３】
１  ナビゲーション装置
１１  制御回路
１３  ＲＡＭ
１５  画像メモリ
１６  表示モニタ
１８  入力装置
１９  タッチパネル
１１０  タッチパネルコントロール部
１１１  衛星ラジオ受信部
１１２  受信メモリ
【図１】
2008180859.tif 000003
【図２】
2008180859.tif 000004
【図３】
2008180859.tif 000005
【図４】
2008180859.tif 000006
【図５】
2008180859.tif 000007
【図６】
2008180859.tif 000008
【図７】
2008180859.tif 000009
【図８】
2008180859.tif 000010